(57)【要約】  本発明は、単一の柱(１)の上端(１Ｓ)で固定手段(４)が設けられているその単一の柱(１)と、上記単一の柱(１)の両側に、連結方法で連結された折りたたみ式の支持アーム(３)とからなるはしごに関するものであり、前記はしごが、特に、前記固定手段(４)用に作成され、壁(７)に固着される、引っ掛けて留める手段(９、１０)を備える。【選択図】    図３
2008545910.tif 000002
【特許請求の範囲】
【請求項１】
壁(７)用のはしごシステムであって、そのはしごが、
−  前記壁(７)に引っ掛けて留める手段(４)と、
−  その上部(１S)に、前記の引っ掛けて留める手段(４)を設けた単一の柱(１)と、
−  前記単一の柱(１)の両側に配置された横木(２)であって、その横木が、その内端(２I)で、その柱(１)に、前記柱に直交するピン(５)を中心に蝶番で動くように固定されているもので、その結果その横木は、２つの最終の位置、すなわち、
・  横木の外端(２E)が単一の柱(１)の上部(１S)の方向に向いており、その横木(２)が単一の柱(１)に付けられた状態になっている、折りたたまれた位置と、
・  前記横木(２)が単一の柱(１)に直交して配置され、その単一の柱(１)に対抗しているその内端(２I)によって下方に固定されている、開いた位置とをとることができ、
−  単一の柱(１)の両側の、前記壁(７)に対して(はしごを)支持する手段(３)とを備え、
−  特に前記はしごの、引っ掛けて留める手段(４)用に作成された固定具(９・１０)が前記壁に固着されており、
−  前記の支持手段が、前記柱に対称的に配置されていて、その柱(１)に、その内端(３I)によって、前記柱に直交するピンを中心に蝶番で動くように固定されている２本のアームからなり、その結果そのアームは、２つの最終の位置、すなわち、
・  ２本のアーム(３)が、柱の両側で、２本のアーム(３)の外端(３E)を単一の柱(１)の上部(１S)に向けて、その２本のアーム(３)が単一の柱(１)に付けられている、折りたたまれた位置と、
・  ２本のアーム(３)が、単一の前記柱(１)に直交して配置され、単一の柱(１)に対抗する内端(３I)によって、下方に固定されている、開いた位置とをとることを特徴とするもの。
【請求項２】
請求項１に記載のシステムであって、そのシステムが、前記固定具(９・１０)を有し、前記壁(７)に固定されることのできるプレート(８)を備えることを特徴とするもの。
【請求項３】
請求項２に記載のシステムであって、前記アーム(３)が開いた位置にあるときに、その外端(３E)が前記プレート(８)に対抗することを特徴とするもの。
【請求項４】
請求項３に記載のシステムであって、そのシステムが、一方では前記アーム(３)の外端(３E)に、他方ではプレート(８)上に設けられた、協働する位置決めと保持要素(１１・１２)を備えることを特徴とするもの。
【請求項５】
請求項１から４のいずれか１項に記したシステムのはしごであって、
−  柱の上部(１S)に、引っ掛けて留める手段(４)を備える、単一の柱(１)と、
−  その単一の柱(１)の両側で、その柱に配置された横木(２)であって、その横木(２)が、その単一の柱(１)にその内端(２I)によって、その柱に直交するピン(５)を中心に蝶番で動くように固定され、その結果その横木が、２つの最終の位置、すなわち、
・  前記横木(２)が、その外端(２E)を、前記単一の柱(１)の上部(１S)に向けて柱(１)に付けられている、折りたたまれた位置と、
・  前記横木(２)が、前記単一の柱(１)に直交して配置され、その単一の柱(１)に対抗する内端(２E)によって下方に固定されている、開いた位置とをとることを特徴としているものからなり、
そのはしごが、その単一の柱(１)に対称的に配置される２本のアーム(３)を追加的に備え、その外端(３E)が円弧形を有し、開いた位置でその外端(３E)が、２本のアーム(３)の両方で少なくとも略三日月形になり、そのアーム(３)が、その内端(3I)によって前記単一の柱(１)に、前記柱に直交するピン(６)を中心に蝶番で動くように固定されており、その結果前記アームは２つの最終の位置、すなわち、
・  その２本のアーム(３)が、単一の柱の両側で、その外端(３E)が単一の前記柱(１)の上部(１S)に向いた状態で、その単一の柱(１)に付けられている、折りたたまれた位置と、
・  その２本のアーム(３)が、前記単一の柱(１)に直交して配置され、その単一の柱(１)に対抗する内端(３I)によって下方に固定されている、開いた位置とをとることを特徴とするもの。
【請求項６】
請求項５に記載のはしごであって、前記単一の柱(１)の上部(１S)が上記アーム(３)に対応する円弧形状をしており、アーム(３)が折りたたまれた位置にあると、その外端(３E)が少なくとも部分的に、その単一の柱(１)の上部(１S)の円弧形状に重なることを特徴とするもの。
【請求項７】
請求項５または６に記載のはしごであって、前記アーム(３)の外端(３E)と、単一の柱(１)の上部(１S)の円弧の形状は角ばっていることを特徴とするもの。
【請求項８】
請求項５から７のいずれか１項に記載のはしごであって、前記単一の柱(１)、前記横木(２)および前記アーム(３)は断面正方形または長方形の管から作成されることを特徴とするもの。
【請求項９】
請求項５から８のいずれか１項に記載のはしごであって、前記横木(２)は、前記単一の柱(１)の一方と他方に互い違いにあることを特徴とするもの。
【発明の詳細な説明】
【技術分野】
【０００１】
本発明は、乗物、特に民間航空機に搭載して使用されることのできる、前記乗物の壁をつたって登るために使用できるはしごシステムに関するものである。
【背景技術】
【０００２】
そのような乗物が動くことによって、使用されるはしごは、その使用中、前記壁に対してしっかりと固定されることが必要となる。さらに、機内では利用できる空間が不足しているので、前記はしごは、使用されないときには、最小限の場所しかとらないように折りたためることが可能でなければならない。
【０００３】
例えば、米国特許第Ａ−２,９２４,２９１号では、すでに船舶用はしごを開示しており、
−  前記船舶の壁に引っ掛けて留めるための手段と、
−  前記の引っ掛けて留める手段を、その上部に設けた単一の柱と、
−  前記単一の柱の両側に配置された横木であって、前記横木が、その内端によって、蝶番で動くようにその柱に直交するピンを中心に固定されており、その結果、前記横木が、２つの最終の位置、すなわち、
・  前記横木が、その外端が、前記単一の柱の上部を向いている状態で、単一の柱に付けられている、折りたたまれた位置と、
・  前記横木が、前記単一の柱に直交して配置され、前記単一の柱に対抗するその内端によって下方に固定されている、開いた位置とをとることができるものと、
−  前記単一の柱の両側にある、前記壁に支持するための手段とを備える。
【特許文献１】米国特許第Ａ−２,９２４,２９１号
【発明の開示】
【発明が解決しようとする課題】
【０００４】
この既知の先行システムでは、引っ掛けて留めるその手段が、船舶の船べりと係合するように意図された幅の広いフックからなるので、前記支持手段があるにも関わらず、はしごの安定性があまり良くない。さらに、前記支持手段は、単一の柱に蝶番で動くように固定される単一の部分として形成され、その柱に沿って折りたたまれた位置では、その部分は空間の必要性が比較的高い。
【課題を解決するための手段】
【０００５】
本発明の目的は、上記先行特許のシステムを、はしごを使用している時には高度の安定性が得られ、使用していない間は最小限のスペースしか必要としないような方法で改良することである。
【０００６】
その目的のために、本発明によると、前記のはしごを備える、このはしごシステムは、−  前記はしごの、特に、引っ掛けて留める手段用に作成された固定具が、前記壁に固着され、
−  前記支持手段が２つのアームからなり、これらが前記単一の柱に対称的に配置されていて、前記単一の柱に、前記柱に直交するピンを中心に蝶番で動くようにその内端によって固定されていて、その結果、前記アームが、２つの最終の位置、すなわち、
・  ２本のアームの外端が前記単一の柱の上部を向いている状態で、その両側で、２本のアームが前記単一の柱に対して付けられている、折りたたまれた位置と、
・  その２本のアームが、前記単一の柱に対して直交して配置され、前記単一の柱に対抗している横木の内端部によって下方に固定されている、開いた位置とを採ることを特徴としている。
【０００７】
この２本のアームの外端が、円弧の形状で、その２本のアームの両方で、開いた位置では、少なくとも略三日月形であることが好ましい。
【０００８】
前記単一の柱の上部が、前記アームの形状に対応する円弧の形状を持ち、前記アームが折りたたまれた位置にあるときは、その外端が少なくとも部分的に、単一の柱の上部の円弧の形状と重ねられていることも望ましい。
【０００９】
前記アームの外端部の円弧の形状と、単一の柱の前記上部の円弧の形状は、角ばっていてもよい。
【００１０】
前記単一の柱、前記横木および前記アームは、断面正方形または長方形の管から形成されることが好ましい。
【００１１】
本発明によるはしごの、その使用中における安定性を更に改善するために、そのはしごを引っ掛けて留める手段用に作成された前記固定具を支持するプレートを設けてもよく、そのプレートは、前記壁またはそれと同様のものに固定されることが可能となる。このように、前記アームが開いた位置にあるとき、その外端は前記プレートに対抗することができる。そして、協働する位置決めと保持手段が、一方では前記アームの外端で、もう一方では前記プレート上に設けられるのが望ましい。
【００１２】
横木の数を制限するために、これらの横木は前記単一の柱の一方と他方に互い違いに配置されることが好ましい。
【発明を実施するための最良の形態】
【００１３】
添付の図は、本発明がいかに実施されるか明瞭に示している。これらの図では、同一符号は同一要素を示す。
本発明による、図で表されたこのはしごは、単一の柱１、横木２、２本の支持アーム３からなり、前記横木２とアーム３は、前記単一の柱１に蝶番で動くように係止されている。
【００１４】
単一の柱１、横木２および支持アーム３は、断面四角形、特に正方形の管より形成され、上記管は例えばアルミニウム製である。
【００１５】
単一の柱１は、上部１Sを除き本質的には直線的で、上部１Sは、その単一の柱の残りの直線部分に対し円弧状に角ばって曲がっており、その自由端には、２重フック４がついている。
【００１６】
横木２は、単一の柱１の両側に、互い違いに配置されて、その柱に沿って配分されている。各横木は、前記柱１に直交する、中心からはずれたピンによって前記単一の柱１に、その内端部２Iで蝶番で動くように係止されている。
【００１７】
よって、横木２は、
−  その横木２が、その外端２Eが前記柱の上部１Sの方へ向き、単一の柱１に付けられた状態になっている、折りたたまれた最終位置(図２参照)と、
−  その横木２が、前記単一の柱１に直交して配置され、その単一の柱１に、その内端２Iによって柱１に対抗して(単一の柱１の上部１Sとは反対方向の)下方に固定されている、開いた最終位置(図１および３参照)とを採ることができる。
【００１８】
２本の支持アーム３は、単一の柱１に対称的に配置され、その外端３Eは、単一の柱１の上端１Sに対応するよう角ばった円弧状に曲がっている。
【００１９】
その２本の支持アーム３は、その内端３Iによって、単一の柱１に直交している中心をはずれたピン６によって、その柱に蝶番で動くように留められている。よって、その２本の支持アーム３は、
−  その両側で、単一の柱に付けられた状態に置かれ、その円弧状の外端３Eが上方を向き、単一の柱１の円弧状の上端１Sに重ねられている、折りたたまれた最終位置(図２参照)と、
−  ２本の支持アーム３が、ある種の三日月形を形成して単一の柱１に直交して配置され、その単一の柱１に対抗している内端３Iによって下方に固定されている、開いた最終位置(図１および３参照)とを採ることができる。
【００２０】
図３に図示されているように、図１および図２に示されているはしごは、壁７に固定でき、特に２重フック４用に作成された前記はしご用の固定された固定具を有するプレート８を設けることによって、前記壁７に沿って使用できる。図３では、前記固定具は、両サイドの取付け具１０の間に狭持されている水平ロッド９からなる。よって、このはしごは、２重フック４をロッド９に引っ掛けて留めることによって壁７に固定することができ、そのとき２本のアーム３は開いた位置にあり、その外端３Eによってプレート８に支持される。柱１とアーム３の円弧状部分１Sと３Eは、図３に示されている使用の状態では、単一の柱１が少なくとも略垂直であるように設計される。
【００２１】
前記はしごの使用時の状態を正確に決定し、その使用中の状態でのはしごの安定性を改善するために、任意的に(例えば、ペグ／ホール型の)緩衝手段をもつ、協働する位置決めと保持要素１１および１２が、一方ではアーム３の端部３Eに、他方ではプレート８上に設けられる。
【図面の簡単な説明】
【００２２】
【図１】図１は、本発明によるはしごの、開いた位置での斜視図である。
【図２】図１のはしごの、折りたたまれた位置での別の角度からの斜視図である。
【図３】開いた位置で、その固定具に引っ掛けて留められている前記はしごを示す、図２と同様の斜視図である。
【符号の説明】
【００２３】
１…単一の柱、１S…柱の上部、２…横木、２I…横木の内端、２E…横木の外端、３…はしご支持する手段(アーム)、３I…アームの内端、３E…アームの外端、４…引っ掛けて留める手段、５…ピン、６…ピン、７…壁、９・１０…固定具、８…プレート、１１・１２…保持要素。
【図１】
2008545910.tif 000003
【図２】
2008545910.tif 000004
【図３】
2008545910.tif 000005
【国際調査報告】
2008545910.tif 000006
2008545910.tif 000007
2008545910.tif 000008
2008545910.tif 000009